(57)【要約】【課題】出力領域モニタの試験作業の高効率化を図る。【解決手段】実施形態の出力領域モニタは、局部出力検出信号を局部出力領域モニタ信号に変換して出力する局部出力領域モニタユニットとしてのＬＰＲＭユニット４を有するＰＲＮＭ部１を試験する。出力領域モニタは、局部出力の模擬信号を発生する局部出力領域モニタ模擬信号発生器であるＬＰＲＭ／ＦＬＯＷ信号発生器３と、試験対象のＬＰＲＭユニット４の局部出力領域モニタ信号に基づいて局所出力値を算出し、この局所出力値に相当する模擬信号をＬＰＲＭ／ＦＬＯＷ信号発生器３に設定する演算部１４と、複数のＬＰＲＭ検出器１２とＬＰＲＭユニット４との接続と、ＬＰＲＭ／ＦＬＯＷ信号発生器３と試験対象のＬＰＲＭユニット４との接続を切り替える切替回路１３と、を備える。【選択図】図１
2017187448.tif 000002
【特許請求の範囲】
【請求項１】
原子炉内の局部出力を検出する複数の局部出力領域モニタ検出器から個別に出力される局部出力検出信号を局部出力領域モニタ信号に変換して出力する局部出力領域モニタユニットと、
前記原子炉内の局部出力の模擬信号を発生する局部出力領域モニタ模擬信号発生器と、
試験対象の前記局部出力領域モニタユニットの局部出力領域モニタ信号に基づいて局所出力値を算出し、この局所出力値に相当する模擬信号を前記局部出力領域モニタ模擬信号発生器に設定する演算部と、
前記複数の局部出力領域モニタ検出器と前記局部出力領域モニタユニットとの接続と、前記局部出力領域モニタ模擬信号発生器と試験対象の前記局部出力領域モニタユニットとの接続を切り替える切替回路と、
を備えることを特徴とする出力領域モニタ。
【請求項２】
前記切替回路は、試験時に試験対象の前記局部出力領域モニタユニットと前記局部出力領域モニタ模擬信号発生器との接続に切り替え、前記演算部は、試験対象の前記局部出力領域モニタユニットから出力される局部出力領域モニタ信号をあらかじめ設定されている判定値と比較して試験対象の前記局部出力領域モニタユニットの異常の有無を判定することを特徴とする請求項１に記載の出力領域モニタ。
【請求項３】
前記局部出力領域モニタユニットから出力される局部出力領域モニタ信号を平均値として算出する平均出力領域モニタユニットと、
前記原子炉内の炉心流量信号を出力する炉心流量ユニットと、
前記局部出力領域モニタ信号及び前記炉心流量信号に基づいて原子炉内の状態を監視する複数の制御棒引き抜き阻止モニタユニットと、をさらに備え、
前記切替回路は、プラント運転時に前記複数の局部出力領域モニタ検出器と前記局部出力領域モニタユニットとの接続に切り替え、
前記演算部は、前記局部出力領域モニタユニット、前記平均出力領域モニタユニット、前記炉心流量ユニット、前記複数の制御棒引き抜き阻止モニタユニットの入出力信号に基づいてゲインを算出し、あらかじめ設定した前記各ユニットのゲイン許容範囲に対して逸脱の有無を判定することを特徴とする請求項１に記載の出力領域モニタ。
【請求項４】
原子炉内の局部出力を検出する複数の局部出力領域モニタ検出器から個別に出力される局部出力検出信号を局部出力領域モニタ信号に変換して出力する局部出力領域モニタユニットを有する出力領域モニタの試験方法であって、
局部出力領域モニタ模擬信号発生器が前記原子炉内の局部出力の模擬信号を発生する模擬信号発生ステップと、
演算部が試験対象の前記局部出力領域モニタユニットの局部出力領域モニタ信号に基づいて局所出力値を算出し、この局所出力値に相当する模擬信号を前記局部出力領域モニタ模擬信号発生器に設定する演算ステップと、
切替回路が前記複数の局部出力領域モニタ検出器と前記局部出力領域モニタユニットとの接続と、前記局部出力領域モニタ模擬信号発生器と試験対象の前記局部出力領域モニタユニットとの接続を切り替える切替ステップと、
を有することを特徴とする出力領域モニタの試験方法。
【請求項５】
前記切替ステップは、試験時に試験対象の前記局部出力領域モニタユニットと前記局部出力領域モニタ模擬信号発生器との接続に切り替え、前記演算ステップは、試験対象の前記局部出力領域モニタユニットから出力される局部出力領域モニタ信号をあらかじめ設定されている判定値と比較して試験対象の前記局部出力領域モニタユニットの異常の有無を判定することを特徴とする請求項４に記載の出力領域モニタの試験方法。
【発明の詳細な説明】
【技術分野】
【０００１】
本発明の実施形態は、原子力発電プラントにおける計測制御装置である出力領域モニタと、出力領域モニタを試験するための試験方法に関する。
【背景技術】
【０００２】
従来、沸騰水型原子炉（ＢＷＲ）の出力領域モニタ（Power Range Neutron Monitor）は、炉心内に多数配置された局部出力領域モニタ検出器（Local Power Range Monitor検出器；以下、ＬＰＲＭ検出器と記す）から得られた検出信号を入力する。出力領域モニタは、この検出信号を入力することで原子炉出力を監視している。出力領域モニタに対する入出力信号の数は、膨大である。したがって、従来では、出力領域モニタの性能試験の効率化を図るため、出力領域モニタ用の試験ツールを用いて試験を実施している。
【０００３】
上記試験ツールは、パーソナルコンピュータ（Personal Computer；以下、パソコンと略称する）、インターフェイスユニット、及び局部出力領域モニタ（Local Power Range Monitor；以下、ＬＰＲＭと記す）／炉心流量（以下、ＦＬＯＷと記す）信号発生器を備えている。
【０００４】
上記試験ツールは、操作者が手動にてパソコンを操作することにより、インターフェイスユニットを経てＬＰＲＭ／ＦＬＯＷ信号発生器からＬＰＲＭ模擬信号，ＦＬＯＷ模擬信号を発生させる。これらＬＰＲＭ模擬信号，ＦＬＯＷ模擬信号は、核計装盤内の少なくとも一部である出力領域モニタに設置されたＬＰＲＭユニットを経て平均出力領域モニタ（Average Power Range Monitoring；以下、ＡＰＲＭと記す）ユニットに出力することにより、出力領域モニタの性能試験を可能にしている。
【先行技術文献】
【特許文献】
【０００５】
【特許文献１】特開平９−２１１１７６号公報
【特許文献２】特開２００９−１１５５４０号公報
【発明の概要】
【発明が解決しようとする課題】
【０００６】
上記出力領域モニタの性能試験、特にマトリクス試験は、核計装盤とＬＰＲＭ検出器との間の信号の入出力に関する健全性を確認する試験である。このマトリクス試験は、まず試験ツールによりＬＰＲＭ検出器の模擬信号を核計装盤に手動入力する。この核計装盤では、複数の制御棒引き抜き阻止モニタユニット（Multi-channel Rod Block Monitorユニット；以下、ＭＲＢＭユニットと記す）へ選択制御棒信号を模擬して出力し、選択された制御棒の座標が正しいことを確認する。上記ＬＰＲＭ検出器は数が多いことから、全ての模擬信号を手動で入力して試験を行うのに長い時間がかかっていた。
【０００７】
また、マトリクス試験の準備作業では、試験ツールの設置時に操作者が核計装盤側のＬＰＲＭコネクタを試験ツールへ繋ぎ替える必要があるため、手間がかかるとともに、繰り返し使用すると、ＬＰＲＭケーブルとＬＰＲＭコネクタが劣化する要因となっていた。この準備作業は、核計装盤の工場試験、核計装盤の更新工事、出力領域モニタの定期点検、出力領域モニタの運転中の確認点検においても実施する。
【０００８】
さらに、従来では、核計装盤内にＬＰＲＭユニット、ＦＬＯＷユニット、ＡＰＲＭユニット、及びＭＲＢＭユニットの入出力信号のゲインを算出する手段が設置されていないため、プラント運転中に上記各ユニットのゲイン許容範囲に対する逸脱の有無を確認することができない。したがって、現状では上記逸脱の有無にかかわらず、所定の定期点検の周期で上記各ユニットを画一的に交換している。
【０００９】
本実施形態が解決しようとする課題は、出力領域モニタの試験作業の高効率化を図ることができ、例えばプラントが運転中でも出力領域モニタ試験を行うことも可能な出力領域モニタ及びその試験方法を提供することにある。
【課題を解決するための手段】
【００１０】
上記課題を解決するために、本実施形態に係る出力領域モニタは、原子炉内の局部出力を検出する複数の局部出力領域モニタ検出器から個別に出力される局部出力検出信号を局部出力領域モニタ信号に変換して出力する局部出力領域モニタユニットと、前記原子炉内の局部出力の模擬信号を発生する局部出力領域モニタ模擬信号発生器と、試験対象の前記局部出力領域モニタユニットの局部出力領域モニタ信号に基づいて局所出力値を算出し、この局所出力値に相当する模擬信号を前記局部出力領域モニタ模擬信号発生器に設定する演算部と、前記複数の局部出力領域モニタ検出器と前記局部出力領域モニタユニットとの接続と、前記局部出力領域モニタ模擬信号発生器と試験対象の前記局部出力領域モニタユニットとの接続を切り替える切替回路と、を備えることを特徴とする。
【００１１】
本実施形態に係る出力領域モニタの試験方法は、原子炉内の局部出力を検出する複数の局部出力領域モニタ検出器から個別に出力される局部出力検出信号を局部出力領域モニタ信号に変換して出力する局部出力領域モニタユニットを有する出力領域モニタの試験方法であって、局部出力領域モニタ模擬信号発生器が前記原子炉内の局部出力の模擬信号を発生する模擬信号発生ステップと、演算部が試験対象の前記局部出力領域モニタユニットの局部出力領域モニタ信号に基づいて局所出力値を算出し、この局所出力値に相当する模擬信号を前記局部出力領域モニタ模擬信号発生器に設定する演算ステップと、切替回路が前記複数の局部出力領域モニタ検出器と前記局部出力領域モニタユニットとの接続と、前記局部出力領域モニタ模擬信号発生器と試験対象の前記局部出力領域モニタユニットとの接続を切り替える切替ステップと、を有することを特徴とする。
【発明の効果】
【００１２】
本実施形態によれば、出力領域モニタの試験作業の高効率化を図ることが可能となる。
【図面の簡単な説明】
【００１３】
【図１】一実施形態の出力領域モニタを示すブロック図である。
【図２】一実施形態の試験時の出力領域モニタを示すブロック図である。
【図３】一実施形態の試験時の制御順序を示すフローチャートである。
【図４】一実施形態のオンライン監視時の出力領域モニタを示すブロック図である。
【図５】一実施形態のオンライン監視順序を示すフローチャートである。
【発明を実施するための形態】
【００１４】
以下、本実施形態に係る出力領域モニタ及びその試験方法について、図面を参照して説明する。
【００１５】
（構  成）
図１は一実施形態の出力領域モニタを示すブロック図である。
【００１６】
図１に示すように、本実施形態の出力領域モニタである核計装盤１１内には、ＰＲＮＭ部１、インターフェイスユニット２、局部出力領域モニタ模擬信号発生器としてのＬＰＲＭ／ＦＬＯＷ信号発生器３、演算部１４、及び表示部１５が設置されている。ＰＲＮＭ部１は、ＰＲＮＭ第１区分〜ＰＲＮＭ第４区分に示すように４つに分割して配置されている。これら４つのＰＲＮＭ部１には、それぞれ多数のＬＰＲＭ検出器１２が個別に接続されている。４つのＰＲＮＭ部１は、互いに同一構成のため、以下、１番目のＰＲＮＭ部１を例に挙げて説明し、その他のＰＲＮＭ部１の説明を省略する。
【００１７】
ＰＲＮＭ部１の４つの区分、すなわちＰＲＮＭ第１区分〜ＰＲＮＭ第４区分は、それぞれＬＰＲＭユニット４、ＡＰＲＭユニット５、ＦＬＯＷユニット６、ＭＲＢＭ盤８に設置されたＭＲＢＭユニット７、切替回路１３を有する。この切替回路１３は、制御部１３ａを備えている。
【００１８】
ＬＰＲＭ検出器１２は、例えば炉心の軸方向に４個取り付けた集合体が半径方向に均等に５２体配置されている。これらのＬＰＲＭ検出器１２は、原子炉の出力領域での中性子を測定することにより原子炉内の局部出力を検出する。ＬＰＲＭ検出器１２の局部出力検出信号は、ＰＲＮＭ部１の切替回路１３に出力される。
【００１９】
ＬＰＲＭ検出器１２及びＬＰＲＭ／ＦＬＯＷ信号発生器３は、実線で示すメタルケーブルを介して切替回路１３に接続されている。この切替回路１３は、メタルケーブルを介してＬＰＲＭユニット４及びＦＬＯＷユニット６に接続されている。
【００２０】
ＬＰＲＭユニット４、ＡＰＲＭユニット５、ＦＬＯＷユニット６、及びＭＲＢＭユニット７は、一点鎖線で示す光ケーブルを介してインターフェイスユニット２に接続されている。ＬＰＲＭユニット４とＡＰＲＭユニット５との間、ＦＬＯＷユニット６とＡＰＲＭユニット５との間、ＡＰＲＭユニット５とＭＲＢＭユニット７との間は、それぞれ光ケーブルを介して接続されている。インターフェイスユニット２と切替回路１３との間も光ケーブルを介して接続されている。
【００２１】
インターフェイスユニット２とＬＰＲＭ／ＦＬＯＷ信号発生器３との間は、二点鎖線で示す専用バスを介して接続されている。インターフェイスユニット２と演算部１４との間、演算部１４と表示部１５との間は、それぞれ破線で示すＵＳＢ（Universal serial Bus）ケーブルを介して接続されている。
【００２２】
ＬＰＲＭ／ＦＬＯＷ信号発生器３は、ＬＰＲＭ模擬信号，ＦＬＯＷ模擬信号を発生し、ＰＲＮＭ部１の切替回路１３に出力される。切替回路１３の制御部１３ａは、演算部１４からインターフェイスユニット２を経て出力された切替指示信号を得て切替回路１３の切替制御を行う。
【００２３】
具体的には、切替回路１３は、ＬＰＲＭ検出器１２とＬＰＲＭユニット４との接続（プラント運転時の接続）と、ＬＰＲＭ／ＦＬＯＷ信号発生器３と試験対象のＬＰＲＭユニット４との接続（試験時の接続）とを切り替える。
【００２４】
ＬＰＲＭユニット４は、ＬＰＲＭ検出器１２から得られるアナログの局部出力検出信号を％換算演算するとともに、個別にディジタル変換してＬＰＲＭ信号（局部出力領域モニタ信号）を生成し、このＬＰＲＭ信号をＡＰＲＭユニット５及びインターフェイスユニット２に出力する。ＦＬＯＷユニット６は、原子炉内の炉心流量を検出し、ＦＬＯＷ信号（炉心流量信号）として出力する。
【００２５】
ＡＰＲＭユニット５は、ＬＰＲＭユニット４からのＬＰＲＭ信号を平均値として算出するとともに、ＦＬＯＷユニット６のＦＬＯＷ信号を用いてＡＰＲＭレベル高判定の設定値演算を実行する。ＡＰＲＭユニット５は、ＬＰＲＭ信号を平均値として算出したＡＰＲＭ信号をインターフェイスユニット２及びＭＲＢＭユニット７に出力する。
【００２６】
ＭＲＢＭユニット７は、ＡＰＲＭ信号及びＦＬＯＷ信号に基づいて原子炉内の状態を監視し、ＭＲＢＭ信号として出力する。具体的に、ＭＲＢＭユニット７は、ＡＰＲＭ信号に基づいて、ＭＲＢＭゲインを算出するとともに、ＭＲＢＭゲインからＭＲＢＭ値を算出し、このＭＲＢＭ値をＭＲＢＭ信号としてインターフェイスユニット２に出力する。
【００２７】
インターフェイスユニット２は、ＬＰＲＭユニット４から出力されるＬＰＲＭ信号、ＡＰＲＭユニット５から出力されるＡＰＲＭ信号、ＦＬＯＷユニット６から出力されるＦＬＯＷ信号、ＭＲＢＭユニット７から出力されるＭＲＢＭ信号をそれぞれ収集する。インターフェイスユニット２は、演算部１４から入力した切替指示信号を切替回路１３の制御部１３ａに出力するとともに、演算部１４から得られたＬＰＲＭ信号又はＦＬＯＷ信号の模擬的な検出値を示す信号をＬＰＲＭ／ＦＬＯＷ信号発生器３に出力する。
【００２８】
演算部１４は、ＬＰＲＭ信号又はＦＬＯＷ信号の模擬的な検出値をＬＰＲＭ／ＦＬＯＷ信号発生器３に設定する。すなわち、演算部１４は、試験対象のＬＰＲＭユニット４のＬＰＲＭ信号に基づいて局所出力値を算出し、この局所出力値に相当する模擬信号をＬＰＲＭ／ＦＬＯＷ信号発生器３に設定する。また、演算部１４は、プラント運転時にインターフェイスユニット２を経て入出力されるＬＰＲＭユニット４、ＦＬＯＷユニット６、ＡＰＲＭユニット５、ＭＲＢＭユニット７の入出力信号を収集し、そのデータを処理する機能を有する。
【００２９】
表示部１５は、演算部１４からの各種データをモニタ表示する。
【００３０】
なお、ＬＰＲＭユニット４、ＡＰＲＭユニット５、ＦＬＯＷユニット６、切替回路１３の制御部１３ａ、及び演算部１４は、パソコン等のコンピュータ資源によって構成され、図示しないハードディスク等の記録媒体に記録された動作プログラム及び各種データをＣＰＵ（Central Processing Unit）が読み出してメインメモリに展開し、この展開した動作プログラムを順次ＣＰＵが実行する。
【００３１】
（作  用）
次に、本実施形態の試験時の作用を説明する。
【００３２】
図２は一実施形態の試験時の出力領域モニタを示すブロック図である。図３は一実施形態の試験時の制御順序を示すフローチャートである。なお、図３のフローチャートは、試験対象のＬＰＲＭユニット４の異常の有無を判定する処理手順を示している。
【００３３】
図２及び図３に示すように、ＰＲＮＭ部１の試験時（定期点検時、プラント運転中）は、切替回路１３にてＬＰＲＭ検出器１２とＬＰＲＭユニット４との接続（プラント運転時の接続）からＬＰＲＭ／ＦＬＯＷ信号発生器３とＬＰＲＭユニット４との接続（試験時の接続）に切り替える。
【００３４】
すなわち、図２に示すように切替回路１３は、ＬＰＲＭ検出器１２と接続されていない。核計装盤１１内は、インターフェイスユニット２、ＬＰＲＭ／ＦＬＯＷ信号発生器３、ＬＰＲＭユニット４、ＡＰＲＭユニット５、ＦＬＯＷユニット６、ＭＲＢＭユニット７、切替回路１３、演算部１４、及び表示部１５が設置されている回路となる。
【００３５】
具体的には、まず演算部１４からインターフェイスユニット２を経て切替回路１３の制御部１３ａに切替指示信号を出力し、切替回路１３を作動させ、プラント運転時の接続から試験時の接続に切り替える（ステップＳ１１）。
【００３６】
次いで、ＬＰＲＭ／ＦＬＯＷ信号発生器３にて原子炉内のＬＰＲＭ信号、ＦＬＯＷ信号を模擬し、ＬＰＲＭユニット４、ＦＬＯＷユニット６にこれらＬＰＲＭ模擬信号，ＦＬＯＷ模擬信号を入力する（ステップＳ１２）。そして、ＡＰＲＭユニット５は、ＬＰＲＭユニット４から出力されたＬＰＲＭ信号の平均値を算出する（ステップＳ１３）。
【００３７】
さらに、インターフェイスユニット２がＡＰＲＭユニット５から出力されるＡＰＲＭ信号を収集する（ステップＳ１４）。その後、演算部１４がインターフェイスユニット２により収集されたＬＰＲＭ信号に基づいて、あらかじめ設定された判定値と比較して試験対象のＬＰＲＭユニット４について異常の有無を判定する（ステップＳ１５）。そして、必要に応じて演算部１４からの判定結果を表示部１５に出力する。表示部１５では、その判定結果を試験データとして表示する。
【００３８】
次に、本実施形態のオンライン監視時の構成及び作用について説明する。
【００３９】
（構  成）
図４は一実施形態のオンライン監視時の出力領域モニタを示すブロック図である。図５は一実施形態のオンライン監視順序を示すフローチャートである。なお、図４では、図１及び図２と同一又は対応する部分には、同一の符号を付して説明を省略する。
【００４０】
本実施形態のオンライン監視時には、図４に示すように切替回路１３は、ＬＰＲＭ／ＦＬＯＷ信号発生器３とＬＰＲＭユニット４との接続（試験時の接続）からＬＰＲＭ検出器１２とＬＰＲＭユニット４との接続（プラント運転時の接続）に切り替えている。
【００４１】
すなわち、切替回路１３は、ＬＰＲＭ検出器１２と接続され、ＬＰＲＭ／ＦＬＯＷ信号発生器３と接続されていない。これにより、核計装盤１１内は、図４に示すようにインターフェイスユニット２、ＬＰＲＭユニット４、ＡＰＲＭユニット５、ＦＬＯＷユニット６、ＭＲＢＭユニット７、切替回路１３、演算部１４、及び表示部１５が設置されている回路となる。
【００４２】
（作  用）
次に、本実施形態のオンライン監視時の作用を説明する。
【００４３】
図５に示すように、まずインターフェイスユニット２は、プラント運転時にＬＰＲＭユニット４、ＦＬＯＷユニット６、ＡＰＲＭユニット５、及びＭＲＢＭユニット７の入出力信号を収集する（ステップＳ２１）。
【００４４】
次いで、演算部１４が各ユニット、すなわちＬＰＲＭユニット４、ＦＬＯＷユニット６、ＡＰＲＭユニット５、及びＭＲＢＭユニット７の入出力信号に基づいてゲインを算出する（ステップＳ２２）。
【００４５】
さらに、演算部１４があらかじめ設定した各ユニットのゲイン許容範囲に対して逸脱の有無を自動判定する（ステップＳ２３）。このような処理を実行することで、各ユニットの異常を個別に検知することができる。
【００４６】
（効  果）
このように本実施形態によれば、切替回路１３とその制御部１３ａにより、プラント運転時の接続から試験時の接続に切り替えることにより、コネクタの繋ぎ替え時間、試験ツールの設定時間、試験用ケーブルの配線時間、信号入力時間を削減することができる。その結果、ＰＲＮＭ部１の定期点検時の試験作業の高効率化を図るとともに、プラントが運転中でもＰＲＮＭ部１の試験を行うことが可能となる。
【００４７】
また、本実施形態によれば、ケーブルコネクタも繋ぎ替えないことから、繋ぎ替えによる誤接続又はケーブル接続によるコネクタの損傷を未然に防止することができる。
【００４８】
さらに、本実施形態によれば、核計装盤１１内に、インターフェイスユニット２、ＬＰＲＭ／ＦＬＯＷ信号発生器３、ＬＰＲＭユニット４、ＡＰＲＭユニット５、ＦＬＯＷユニット６、ＭＲＢＭユニット７、切替回路１３、演算部１４、及び表示部１５が設置されているので、出力領域モニタとしての取扱性を向上させることができる。
【００４９】
本実施形態によれば、プラント運転時に演算部１４が各ユニットの入出力信号に基づいてゲインを算出し、あらかじめ設定した各ユニットのゲイン許容範囲に対して逸脱の有無を自動判定する。これにより、プラント運転時にＬＰＲＭユニット４、ＦＬＯＷユニット６、ＡＰＲＭユニット５、及びＭＲＢＭユニット７の異常を個別に検知することができる。そのため、各ユニットをオンライン監視することが可能になる。
【００５０】
（その他の実施形態）
本発明の実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形は、発明の範囲や要旨に含まれると同様に、特許請求の範囲に記載された発明とその均等の範囲に含まれるものである。
【００５１】
例えば、前記各実施形態では、ＬＰＲＭ／ＦＬＯＷ信号発生器３及び切替回路１３を核計装盤１１内に設置した例について説明したが、これに限らず核計装盤１１外に設置してもよい。
【符号の説明】
【００５２】
１…ＰＲＮＭ部、２…インターフェイスユニット、３…ＬＰＲＭ／ＦＬＯＷ信号発生器（局部出力領域モニタ模擬信号発生器）、４…ＬＰＲＭ（局部出力領域モニタ）ユニット、５…ＡＰＲＭ（平均出力領域モニタ）ユニット、６…ＦＬＯＷ（炉心流量）ユニット、７…ＭＲＢＭ（制御棒引き抜き阻止モニタ）ユニット、８…ＭＲＢＭ盤、１１…核計装盤（出力領域モニタ）、１２…ＬＰＲＭ（局部出力領域モニタ）検出器、１３…切替回路、１３ａ…制御部、１４…演算部、１５…表示部
【図１】
2017187448.tif 000003
【図２】
2017187448.tif 000004
【図３】
2017187448.tif 000005
【図４】
2017187448.tif 000006
【図５】
2017187448.tif 000007